(57)【要約】【課題】記憶手段を有する入場用媒体においても、何回でも異なる人に再利用して発行できるようにして、省資源化を図ることを可能にした入場用媒体を提供する。【解決手段】基材シートに記憶手段を有する非接触ＩＣタグが内蔵された入場用媒体であって、前記記憶手段には、入場用媒体毎に異なる識別番号と、入場用媒体の有効期間に関する情報とが記憶され、前記基材シートの表面には、前記識別番号と前記有効期間の種別情報とが表示されていることを特徴とする。【選択図】        図１
2004188650.tif 000002
【特許請求の範囲】
【請求項１】
基材シートに記憶手段を有する非接触ＩＣタグが内蔵された入場用媒体であって、
前記記憶手段には、入場用媒体毎に異なる識別番号と、入場用媒体の有効期間に関する情報とが記憶され、
前記基材シートの表面には、前記識別番号と前記有効期間の種別情報とが表示されていることを特徴とする入場用媒体。
【請求項２】
前記基材シートが合成樹脂からなり、前記入場用媒体がカード形状を有していることを特徴とする請求項１記載の入場用媒体。
【請求項３】
前記有効期間の種別情報が、有効期間として一定期間であるか否かの種別を定めた情報であることを特徴とする請求項１記載の入場用媒体。
【発明の詳細な説明】
【０００１】
【発明の属する技術分野】
本発明は、特定の建物や場所などに入場する者の入場管理を行う際に用いられる入場用媒体であって、特に基材に記憶手段を有する非接触ＩＣタグが内蔵された入場用媒体に関する。
【０００２】
【従来の技術】
従来、国内外で開催されるイベントとして、例えば、国際会議、スポーツ国際大会、国際展示会、博覧会などの国際イベントや、国内での各種スポーツイベント、展示会、セミナーなど様々なイベントが開催されている。
また、このようなイベントが開催される場合には、その会場に様々な業務関係者が多数出入りする。
これらの業務関係者としては、例えば、会場建設中においては、建設資材を搬入したり、残土を搬出するトラック運転手、建設現場の工事作業員、会場の運営スタッフ、協賛企業の視察団など、また開催中においては、会場内の売店に食料や飲料水を搬入する食品提供業者などがいる。
【０００３】
通常、これらの会場に出入りする業務関係者には、入場用媒体を発行して会場の出入口で入場用媒体によるチェックを行うことで、入場が許可されている者であるか否かを確認を行ない、不信者が会場に進入して妨害行為や破壊行為などが行われないように管理して安全性を保つようにしている。
【０００４】
従来、これらの入場用媒体としては、本人の顔写真や個人情報を表示して目視によりチェックするものや、機械的な処理が行われるようにするために、ＩＣカードやＩＣタグなどの記憶媒体を用いた入場用媒体が知られている。（例えば、特許文献１乃至３参照）
しかしながら、記憶媒体による入場用媒体は、確認のための処理効率が向上するという利点がある反面、コストが高くまた資源的により多くの資源を消費するという問題がある。
【０００５】
特に、１日や数日間などの短期間だけの入場を行う場合でも、入場者毎に個人情報を書き換えできないように表示して入場用媒体を発行するために、その一定期間が経過した場合でも、この入場用媒体を他の者にリサイクル化して再使用できないため、廃棄することになり、省資源上の無駄が生じるという問題があり好ましくない。
【０００６】
【特許文献１】
特開平６−８９２８４号公報
【特許文献２】
特開平６−２９９７９９号公報
【特許文献３】
特開２００１−１４６８９９号公報
【０００７】
【発明が解決しようとする課題】
本発明は、記憶手段を有する入場用媒体においても、何回でも異なる人に再利用して発行できるようにして、省資源化を図ることを可能にした入場用媒体を提供する。
【０００８】
【課題を解決するための手段】
本発明の入場用媒体は、基材シートに記憶手段を有する非接触ＩＣタグが内蔵された入場用媒体であって、前記記憶手段には、入場用媒体毎に異なる識別番号と、入場用媒体の有効期間に関する情報とが記憶され、前記基材シートの表面には、前記識別番号と前記有効期間の種別情報とが表示されていることを特徴とする。
【０００９】
また、本発明の入場用媒体は、前記基材シートが合成樹脂からなり、前記入場用媒体がカード形状を有していることを特徴とする。
【００１０】
更に、本発明の入場用媒体は、前記有効期間の種別情報が、有効期間として一定期間であるか否かの種別を定めた情報であることを特徴とする。
【００１１】
【発明の実施の形態】
以下、本発明の実施の形態を図面に基づいて詳細に説明する。
図１は、本発明の実施形態に係る入場用媒体の平面図、図２は、図１のＡ−Ａ線断面図、図３は、非接触ＩＣタグの一例を示す平面図である。
【００１２】
本発明の実施形態に係る入場用媒体１は、図１に示すように、全体形状が略矩形状からなるカード形状を有し、その基材シート２ａ，２ｂとしては、プラスチック等の合成樹脂のシートが複数枚重合されて構成されている。
また、各々の基材シート２ａ，２ｂ上に透明保護フィルムを積層させて設けてもよい。
【００１３】
基材シート２ａの表面には、入場用媒体毎に定められた固有の識別番号４と、その入場用媒体を使用して入場可能な有効期間の種別を示す種別情報５と、「業務入場用媒体」の文字６などが表示されている。
ここで、有効期間の種別を示す種別情報５とは、例えば、「一定期間」などのように、その入場用媒体１自体は、複数の人間に対して再利用して発行され、随時にその入場用媒体を発行された人間が予め定められた一定期間だけ、その入場用媒体１を使用できることを示すものである。
【００１４】
この一定期間とは、例えば、１日間、１週間、１ヶ月間など入場用媒体の発行者側が、入場者の業務などで入場の必要性に応じて随時判断して定めた期間である。
例えば、イベント会場の建設工事のために、工事関係者に入場用媒体１を発行して入場管理を行う必要がある全期間が１年間あったとすると、この全期間の間を通して入場を行う必要がある特定の業者担当者に対しては、入場用媒体１の有効期間の種別を示す種別情報５として、「全期間」の表示を行ない、また、上記したように、全期間の１年間の内に、所定の期間だけを定めて資材の搬入などを行う業者の運転手などに発行する入場用媒体には、「一定期間」の表示を行う。このように、有効期間の種別情報５は、入場用媒体１の有効期間として一定期間であるか否かの種別を定めた情報である。
【００１５】
したがって、入場用媒体に「一定期間」の表示が行われている入場用媒体１は、発行された人間の業務が終了した際に、回収して再度リサイクルして、別の人間に発行できるように、有効期間の表示領域に「一定期間」の表示を行うことで、その入場用媒体が一時的に発行される入場用媒体であることがわかるようにしてある。
この「一定期間」の表示が行われている入場用媒体１は、複数の人間に再利用可能とするために、発行された人間の氏名などの個人情報は一切表示されていない。
【００１６】
また、入場用媒体１の基材シート２ａ，２ｂの間には、非接触ＩＣタグ３が内蔵されている。
非接触ＩＣタグ３を内蔵する構成については、特に限定されたものではないが、基材シート２ｂの表面に非接触ＩＣタグ３を埋設させるための凹部７を形成し、この凹部７内に非接触ＩＣタグ３を設置させた状態で、２枚の基材シート２ａ，２ｂを重ね合わせて接着させると、入場用媒体１の厚みが均一となり、また非接触ＩＣタグ３が外部から保護されて好ましい。
【００１７】
この非接触ＩＣタグ３の一例を図３に示す。
非接触ＩＣタグ３は、非接触データキャリアやＦＲ−ＩＤともいわれ、プラスチック等の基材３１にコイルパターン３３を形成し、当該コイルと容量素子とにより共振回路を形成して一定周波数の電波を受信し送信することができる。
また、他の方式として、リーダライタからの搬送波の電磁誘導により電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は、導通部材３４により基材３１の裏面でジャンピング回路を形成してコイル接続端子３３ＣによりＩＣチップ３２の裏面のバンプに接続している。
【００１８】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
【００１９】
非接触ＩＣタグ３に使用する樹脂基材３１としては、ＰＥＴやポリプロピレン、ポリエチレン、ポリスチレン、ナイロン等の各種材料を使用することができ紙であってもよい。
厚みは１５〜３００μｍが使用できるが、強度、加工作業性、コスト等の点から２０〜１００μｍがより好ましい。
金属箔としては、銅箔やアルミ箔あるいは鉄箔を使用できるが、コスト、加工性からアルミ箔が好ましく、その厚みは６〜５０μｍ程度が好ましい。
【００２０】
これらの記録した情報の読み取りは、非接触ＩＣタグ３対して共振する呼び出し信号を発信し、数ｃｍから数十ｃｍの距離で非接触ＩＣタグ３からの応答信号を読み、且つ非接触ＩＣタグ３に記録することができる。
装置としては固定した常設のリーダライタ付きターミナルやのほか、無線式のハンディー端末等を使用することができる。
【００２１】
非接触ＩＣタグ３の記憶手段には、入場用媒体毎に異なる識別番号と、入場用媒体の有効期間に関する情報とが記憶されている。
この識別番号は、入場用媒体１の表面に表示されている識別番号４と同一の情報であり、入場用媒体の有効期間に関する情報とは、この入場用媒体が発行された人間に対して発行者側から入場を許可した期間に関する情報である。
この発行者側から入場を許可した期間は、暦による日付に基づいて特定され、識別番号と関連付けられてデータベースに登録され、管理用のコンピュータによる確認処理が可能になっている。
【００２２】
次に、本発明の実施形態に係る入場用媒体１の使用方法について説明する。
本発明の入場用媒体１は、出入口に設けられた非接触ＩＣタグリーダと、この非接触ＩＣタグリーダに接続された通信端末と、その通信端末に通信可能に接続された管理用のコンピュータと、予め入場用媒体の発行を受ける人間の個人情報を登録させたデータベースとにより、入場の管理処理を行う際に使用するものである。
また、出入口には、開閉作動する入場ゲートを設け、通信端末からの指示信号に基づいて、入場ゲートの開閉を操作できるようにしてある。
【００２３】
使用方法の一例として、例えば、１週間だけ資材の搬入を行う業務のために、トラックを運転してイベント会場に出入りする必要がある運転手がいたとする。この運転手の氏名、所属会社、電話番号などの個人情報と、この運転手に発行する入場用媒体１の識別番号とを関連付けて、予めデータベースに登録させ、更にこの運転手に入場開始日から１週間の間だけ、入場を許可する有効期間情報を予めデータベースに登録させておくことで、入場用媒体１の発行準備を行ない、その後、その運転手に対して入場用媒体１の発行を行う。
【００２４】
そして、その運転手は、イベント会場に入る際に、出入口に設けられた非接触ＩＣタグリーダに入場用媒体１を近づけることで、入場用媒体１に内蔵された非接触ＩＣタグ３に記憶された識別番号が読み取られ、通信端末から管理用のコンピュータにその識別番号が送信される。
管理用のコンピュータでは、受信した識別番号に基づいてデータベースからその受信日が、予め入場が許可された有効期間内であるか否かを確認処理し、その期間内である場合には、入場ゲートを開くことを指示する信号を通信端末に送信する。
そして、この信号を受信した通信端末は、開閉ゲートに対してゲートを開く信号を送り、トラックが出入口から入れる状態にする。
【００２５】
また、もし非接触ＩＣタグリーダにより入場用媒体１に記憶された識別番号がうまく読み取れないなどで、確認処理ができない状態にある場合や、開閉ゲートが開かないなどの場合には、出入口で管理している守衛が、そのトラックの運転手から入場用媒体１を見せてもらい、入場用媒体１に表示されている識別番号４を目視で読み取り、通信端末から識別番号を入力させて、管理用のコンピュータに送信し確認を行う。
この際、データベースに登録されている個人情報を入手することで、その運転手が不審者でないかの身元確認を行うことで、安全性を高めることができる。
【００２６】
また、有効な一定期間が終了された入場用媒体１は、管理本部に回収し、再度利用者に対して発行され、なんども繰り返し使用することができるように管理される。
【００２７】
【発明の効果】
以上説明したように、本発明の入場用媒体は、表面上には識別番号と有効期間の種別情報などの個人を特定しない情報だけが表示されているので、何回でも異なる人間に再利用して発行することができ、省資源化を図れるという効果がある。
また、本発明の入場用媒体をカード形状とすることで、携帯に便利であるという効果がある。
【図面の簡単な説明】
【図１】本発明の実施形態に係る入場用媒体の平面図である。
【図２】図１のＡ−Ａ線断面図である。
【図３】非接触ＩＣタグの一例を示す平面図である。
【符号の説明】
１  入場用媒体
２ａ，２ｂ  基材シート
３  非接触ＩＣタグ
４  識別番号
５  種別情報
６  文字
７  凹部
３１  基材
３２  ＩＣチップ
３３  コイルパターン
３３Ｃ  コイル接続端子
３４  導通部材
【図１】
2004188650.tif 000003
【図２】
2004188650.tif 000004
【図３】
2004188650.tif 000005